(57)【要約】【課題】樹脂にて成型された転写ケーシングに対し、クリーニング部の主要部品について、両端に金属側板を設けてこれに支持し、この側板を転写ケーシングに組み付ける構成にすることで、駆動ローラ、クリーニングローラ、クリーニングブレード類それぞれの構成部品間の位置決めを精度良く確保するようにした転写搬送装置を提供する。【解決手段】本発明の転写搬送装置では、クリーニングブレード２６，２８、クリーニングローラ２５、駆動ローラ２１を、１枚の金属側板３３にて位置決めすることにより、部品相互の組み付け位置を側板精度で確保し、転写ベルト２４、クリーニングローラ２５それぞれに対するブレード当接のばらつきを低減することでクリーニング品質の向上を図ると共に、２枚のクリーニングブレードの機能を分化させることで、クリーニング性の確保と高耐久性が狙える構成とする。【選択図】              図５
2004354733.tif 000002
【特許請求の範囲】
【請求項１】
画像形成装置に装着され、該画像形成装置の像担持体上の顕画像を記録材に転写するとともに記録材を搬送する転写搬送装置であって、筐体と、駆動ローラと従動ローラに張設される転写ベルトと、前記顕画像を前記記録材に転写させるためのバイアス印加部材と、前記転写ベルトをクリーニングする転写ベルトクリーニング手段とを具備する転写搬送装置において、
前記転写ベルトクリーニング手段が、前記転写ベルトに当接される第１のクリーニングブレードと、前記転写ベルトに当接され該転写ベルトを電気的にクリーニングするクリーニングローラと、該クリーニングローラに当接される第２のクリーニングブレードを有し、前記第１のクリーニングブレードと第２のクリーニングブレードとクリーニングローラと駆動ローラとが前記筐体に設けられた同一の位置決め部材に対して位置決め固定され、該位置決め部材は、前記筐体とは別に設けられた板金部材にて構成された金属側板であり、前記第１のクリーニングブレードは、該ブレードの弾性変形のみを利用して転写ベルトに当接するように固定される構成であり、前記第２のクリーニングブレードは、スプリングなどの加圧部材にてクリーニングローラに当接加圧される構成であることを特徴とする転写搬送装置。
【請求項２】
請求項１記載の転写搬送装置において、
前記第１のクリーニングブレード及び第２のクリーニングブレードは、全く同一の部材であることを特徴とする転写搬送装置。
【請求項３】
請求項１記載の転写搬送装置において、
前記第１のクリーニングブレード及び第２のクリーニングブレードは、それぞれ転写ベルト、クリーニングローラに対する当接条件を全く同一にしていることを特徴とする転写搬送装置。
【請求項４】
請求項１記載の転写搬送装置において、
前記第１のクリーニングブレード及び第２のクリーニングブレードは、全く同一の部材であり、かつ、前記第１のクリーニングブレード及び第２のクリーニングブレードは、それぞれ転写ベルト、クリーニングローラに対する当接条件を全く同一にしていることを特徴とする転写搬送装置。
【請求項５】
請求項１記載の転写搬送装置において、
前記スプリングは、クリーニングブレードを貼り付けたホルダを直接加圧する構成であることを特徴とする転写搬送装置。
【請求項６】
請求項５記載の転写搬送装置において、
前記スプリングは、ホルダの両端をそれぞれ加圧する構成であることを特徴とする転写搬送装置。
【請求項７】
像担持体上の顕画像を記録材に転写する転写手段を備えた画像形成装置において、
前記転写手段として、請求項１〜６のいずれか一つに記載の転写搬送装置を用いたことを特徴とする画像形成装置。
【発明の詳細な説明】
【０００１】
【発明の属する技術分野】
本発明は、複写機、ファクシミリ、プリンタ等の画像形成装置に係り、詳しくは、顕画像を担持する像担持体に対向する転写位置を、該像担持体との間でニップを形成しながら移動する転写ベルトを備え、該転写ベルトで記録材を担持搬送しながら前記像担持体上の顕画像を記録材に静電的に転移させる転写搬送装置、及びその転写搬送装置を具備する画像形成装置に関する。
【０００２】
【従来の技術】
一般的に転写搬送装置の筐体、いわゆるケーシングは、合成樹脂等の絶縁体（以下単に樹脂と呼ぶ）で作られていることが多い。これは、形状が複雑で、板金等の金属材での作りに向かないこと、転写工程で高圧回路を作動させるため、リーク等の危険があり、絶縁体でないと扱いにくいこと等の事情があるためである。一般には、このケーシングに、内蔵物を保持する形状を設け、部品構成の簡略化を兼ねることが常である。しかし、近年の高画質化に伴い、トナー粒径が小径化し、クリーニングに求められる品質も高いものになってきている。
【０００３】
本構成にあるクリーニングローラもこの流れに乗ったものだが、樹脂製のケーシングに位置決めされた状態では、部品の高精度な取り付けが出来ないという問題点がある。つまり樹脂部品は、成型寸法精度において、ある程度妥協しなければならず、熱に拠る収縮（寸法変動）を起しやすく、また、剛性面で不十分であり、反り等の変形を起し易い。よって本来高精度に位置決めしなければならないクリーニングブレードと転写ベルト、あるいはクリーニングローラの精度にばらつきが出やすく、十分な品質を確保出来ない場合がある。その問題を解決するため、複数のクリーニングブレードを、樹脂製ケーシングの１点を基準にして取り付けるように工夫した例がある（例えば、特許文献１参照）。
【０００４】
【特許文献１】
特開２００２−３２８５３４号公報
【０００５】
【発明が解決しようとする課題】
しかし、クリーニング手段は、クリーニングブレードと転写ベルト、あるいはクリーニングローラとの相対的位置関係が重要になるので、クリーニングブレードの位置だけを高精度化してもまだ不十分である。
【０００６】
本発明は上記事情に鑑みなされたものであり、樹脂にて成型された転写ケーシングに対し、クリーニング部の主要部品について、両端に金属側板を設け、これに支持し、この側板を転写ケーシングに組み付ける構成にすることで、駆動ローラ、クリーニングローラ、クリーニングブレード類それぞれの構成部品間の位置決めを精度良く確保するようにした転写搬送装置を提供することを目的とする。
また、サービスメンテナンス時の交換性、クリーニング性の向上を達成することができる構成の転写搬送装置を提供することを目的とする。さらには、その転写搬送装置を具備し、転写性能及び記録材搬送性能に優れた画像形成装置を提供することを目的とする。
【０００７】
【課題を解決するための手段】
上記目的を達成するための手段として、請求項１に係る発明は、画像形成装置に装着され、該画像形成装置の像担持体上の顕画像を記録材に転写するとともに記録材を搬送する転写搬送装置であって、筐体と、駆動ローラと従動ローラに張設される転写ベルトと、前記顕画像を前記記録材に転写させるためのバイアス印加部材と、前記転写ベルトをクリーニングする転写ベルトクリーニング手段とを具備する転写搬送装置において、前記転写ベルトクリーニング手段が、前記転写ベルトに当接される第１のクリーニングブレードと、前記転写ベルトに当接され該転写ベルトを電気的にクリーニングするクリーニングローラと、該クリーニングローラに当接される第２のクリーニングブレードを有し、前記第１のクリーニングブレードと第２のクリーニングブレードとクリーニングローラと駆動ローラとが前記筐体に設けられた同一の位置決め部材に対して位置決め固定され、該位置決め部材は、前記筐体とは別に設けられた板金部材にて構成された金属側板であり、前記第１のクリーニングブレードは、該ブレードの弾性変形のみを利用して転写ベルトに当接するように固定される構成であり、前記第２のクリーニングブレードは、スプリングなどの加圧部材にてクリーニングローラに当接加圧される構成であることを特徴とする。すなわち請求項１に係る転写搬送装置では、クリーニングブレード、クリーニングローラ、駆動ローラを、１枚の板金部材にて構成された金属側板にて位置決めすることで、部品相互の組み付け位置を側板精度で確保し、転写ベルト、クリーニングローラそれぞれに対するブレード当接のばらつきを低減することで、クリーニング品質の向上を図ると共に、２枚のクリーニングブレードの機能を分化させることで、クリーニング性の確保と、高耐久性が狙える構成とすることが可能となる。
【０００８】
請求項２に係る発明は、請求項１記載の転写搬送装置において、前記第１のクリーニングブレード及び第２のクリーニングブレードは、全く同一の部材であることを特徴とする。すなわち請求項２に係る転写搬送装置では、クリーニングブレードを１種類とすることにより、部品管理を容易にし、定期交換時の取り替えミスを防ぐことが可能となる。
【０００９】
請求項３に係る発明は、請求項１記載の転写搬送装置において、前記第１のクリーニングブレード及び第２のクリーニングブレードは、それぞれ転写ベルト、クリーニングローラに対する当接条件を全く同一にしていることを特徴とする。
すなわち請求項３に係る転写搬送装置では、２枚のブレードの当接条件（法線力及び接触角）を同一に設定することにより、部品の劣化具合・交換間隔を同様にし、サービスメンテナンスの回数を減らすことが可能となる。
【００１０】
請求項４に係る発明は、請求項１記載の転写搬送装置において、前記第１のクリーニングブレード及び第２のクリーニングブレードは、全く同一の部材であり、かつ、前記第１のクリーニングブレード及び第２のクリーニングブレードは、それぞれ転写ベルト、クリーニングローラに対する当接条件を全く同一にしていることを特徴とする。すなわち請求項４に係る転写搬送装置では、クリーニングブレードを１種類とすることにより、部品管理を容易にし、定期交換時の取り替えミスを防ぐことが可能となり、かつ、２枚のブレードの当接条件（法線力及び接触角）を同一に設定することにより、部品の劣化具合・交換間隔を同様にし、サービスメンテナンスの回数を減らすことが可能となる。従って、いっそうのサービス性の向上を図ることが可能となる。
【００１１】
請求項５に係る発明は、請求項１記載の転写搬送装置において、前記スプリングは、クリーニングブレードを貼り付けたホルダを直接加圧する構成であることを特徴とする。すなわち請求項５に係る転写搬送装置では、スプリングでクリーニングブレードを貼り付けたホルダを直接加圧する構成とすることにより、加圧応答性に優れ、当接ブレードの摩擦による微振動を最小限に抑えることで、クリーニング品質を高めることが可能となる。
【００１２】
請求項６に係る発明は、請求項５記載の転写搬送装置において、前記スプリングは、ホルダの両端をそれぞれ加圧する構成であることを特徴とする。すなわち請求項６に係る転写搬送装置では、スプリングによりホルダの両端を加圧する構成にし、ホルダのたわみによる当接圧偏差を最小にすることで、全幅でのクリーニング性を良好に確保することが可能となる。
【００１３】
請求項７に係る発明は、像担持体上の顕画像を記録材に転写する転写手段を備えた画像形成装置において、前記転写手段として、請求項１〜６のいずれか一つに記載の転写搬送装置を用いたことを特徴とする。すなわち請求項７に係る画像形成装置では、請求項１〜６のいずれか一つに記載の転写搬送装置を用いたことにより、転写手段のサービスメンテナンス時の交換性、クリーニング性の向上を達成することが可能となる。
【００１４】
【発明の実施の形態】
以下、本発明の構成、動作及び作用を、図示の実施形態に基づいて詳細に説明する。
ここでは、本発明を画像形成装置であるデジタル複写機（以下、複写機という）に適用した一実施形態について説明する。図１に本発明の一実施形態に係る複写機の概略構成を示す。
【００１５】
まず、複写機全体の構成及び動作について図１に基づき説明する。この複写機は、原稿読み取り部（イメージスキャナ）１、書き込み部７、画像形成部１２、給紙部１９等から構成されている。
原稿読み取り部１は、光源２、ミラー３ａ〜３ｃ、結像レンズ４、イメージセンサとしてのＣＣＤ５等を備えている。また、原稿読み取り部１のコンタクトガラス１ａ上には自動原稿給紙装置（ＡＲＤＦ）６が設置されている。この原稿読み取り部１は、コンタクトガラス１ａ上の原稿を光源２で照明し、原稿の画像をミラー３ａ〜３ｃと結像レンズ４を介してＣＣＤ５上に結像し、ＣＣＤ５で画素単位で読み取り電気信号に変換し、図示しない画像処理部でデジタル化した画像信号に変換する。この画像信号は書き込み部７に送られるか、図示しない画素メモリに記憶される。
【００１６】
書き込み部７は、光源としてのレーザーダイオード８、走査用の回転多面鏡９ａ、ポリゴンモータ９ｂ，ｆθレンズ等の走査光学系１０、ミラー１１等を備えている。この書き込み部７は、原稿読み取り部１によって読み取られた画像信号に応じてレーザー光の発光を制御しながら回転多面鏡９ａで走査し、走査光学系１０及びミラー１１を介して感光体ドラム１３上に画像を書き込む。
【００１７】
画像形成部１２は、像担持体としての感光体ドラム１３、帯電装置１４、現像装置１５、転写ベルト２４を用いた転写搬送装置１６、クリーニング装置１７、定着装置１８等を備えている。感光体ドラム１３は帯電装置１４により一様に帯電された後、上記書き込み部７によりレーザー光が照射され、静電潜像が形成される。この静電潜像は現像装置１５の現像剤（例えばトナー）により現像され、顕画像としてのトナー像を形成する。一方、記録材としての転写紙は、給紙部１９の多段の給紙カセット１９ａ〜１９ｄのうちの選択された一つから給紙され、感光体ドラム１３と転写搬送装置１６とが対向する転写位置に搬送される。そして転写紙は転写搬送装置１６の転写ベルト２４により担持搬送され、感光体ドラム１３上に形成されたトナー像が静電的に転写紙へ転写される。尚、転写搬送装置１６については、図２以降で説明する。
【００１８】
トナー像が転写された転写紙は、転写搬送装置１６の転写ベルト２４により定着装置１８に送られ、定着装置１８により転写紙上のトナー像を定着させることで画像が得られる。そして、定着後の転写紙は排紙部５０の排紙トレイ５１やソータ５２に排紙される。一方、感光体ドラム１上の残留トナーは、クリーニング装置１７にて除去される。また、本実施形態の複写機においては、画像形成部１２と給紙部１９との間に両面ユニット２０を設置している。そして、この両面ユニット２０により、片側に印字された転写紙を反転し再給紙することで、転写紙の両面に画像を形成することを可能としている。
【００１９】
図２は本発明に係る転写搬送装置の概略構成を示す側面図である。同図において、符号２１は駆動ローラ、２２は従動ローラ、２３はバイアスローラ、２４は転写ベルト、２５はクリーニングローラ、２６は第１のクリーニングブレード、２８は第２のクリーニングブレード、３３は位置決め部材（板金部材にて構成された金属側板）、３４は廃トナー搬送スクリュー、３５は転写ケーシングをそれぞれ示している。これらの部材を備えた転写搬送装置による転写プロセス動作は、特許文献１と略同様であり、通常用いられる転写プロセスと基本的には同じであるが、本発明での他とは異なるところを以下に述べる。
【００２０】
通常、転写ケーシング３５は樹脂等の絶縁物で作られている。これは、形状が複雑で、板金等の金属材での作りに向かないこと、転写工程で高圧回路を作動させるため、リーク等の危険があり、絶縁物でないと扱いにくいこと等の事情があるためである。一般には、この転写ケーシングに、内蔵物を保持する形状を設け、部品構成の簡略化を兼ねることが常である。しかし、近年の高画質化に伴い、トナー粒径が小径化し、クリーニングに求められる品質も高いものになってきている。本構成にあるクリーニングローラもこの流れに乗ったものだが、樹脂製のケーシングに位置決めされた状態では、部品の高精度な取り付けが出来ない欠点がある。つまり樹脂部品は、成型寸法精度において、ある程度妥協しなければならず、熱に拠る収縮（寸法変動）を起しやすく、また、剛性面で不十分であり、反り等の変形を起し易い。よって本来高精度に位置決めしなければならないクリーニングブレードと転写ベルト、あるいはクリーニングローラの精度にばらつきが出やすく、十分な品質を確保出来ない場合がある。
【００２１】
本発明においても、転写ケーシング３５の外形等は樹脂にて構成されるが、クリーニング部の主要部品については、両端を転写ケーシング３５とは別体の位置決め部材（金属側板）３３にて支持し、この金属側板３３を転写ケーシング３５に組み付ける構成になっている。そして、この金属側板３３には、駆動ローラ２１、クリーニングローラ２５、第１のクリーニングブレード２６、第２のクリーニングブレード２８が位置決めされ、それぞれの構成部品間の位置決めが、金属側板３３自体の精度にて確保されるようになっている。
【００２２】
図３〜５に転写搬送装置の詳細図を示す。図３は図２に示す転写搬送装置の要部断面図、図４は転写搬送装置の上面図、図５は転写搬送装置の分解斜視図である。これらの図において、符号２７，２９はクリーニングホルダ、３０は支持板、３１はスプリング、３２はピン、３６は軸受、３７は支点ピン、３８は基準ボス、３９は駆動軸穴、４０はクリーニングローラ軸穴をそれぞれ示す。
第１のクリーニングブレード２６はクリーニングホルダ２７に、第２のクリーニングブレード２８はクリーニングホルダ２９に、それぞれホットメルト接着され、本体に取り付けられるようになっている。クリーニングホルダ２７，２９の端部には、取り付け基準穴と、ネジ固定用の穴が設けられている。また、金属側板３３は、対で構成され、転写ケーシング３５の内壁に、ネジ等で固設されている。
【００２３】
第１のクリーニングブレード２６は、金属側板３３の切り曲げ部に設けられたブレード取り付け基準ボス３８に上記ホルダの取り付け基準穴が嵌合され、ネジにて固定される。駆動ローラ２１の軸は、図示しない軸受を介して、金属側板３３に設けられた駆動軸穴３９に嵌め込まれ、支持される。この構成にて第１のクリーニングブレード２６と駆動ローラ２１は、金属側板３３を介して精度良く組み付けられるようになっている。第１のクリーニングブレード２６は、転写ベルト２４に所定の弾性変形状態、すなわち、法線力Ｎ１、接触角β１にて当接し、クリーニングを行うようになっている。
【００２４】
一方、第２のクリーニングブレード２８は、支持板３０に上記と同様に基準ボス嵌合にて固定され、板金側版３３にカシメられた支点ピン３７に回転可能に支持される。また、クリーニングローラ２５も金属側板３３に設けられたクリーニングローラ軸穴４０に軸受３６を介して支持されている。クリーニングローラ２５にはバイアス電圧をかけるため、軸受３６は樹脂等の絶縁材を使用し、金属側板３３へのリークを防いでいる。組み付け精度は、上記同様、良好な品質が得られる構成になっている。
また、この構成においては、クリーニングローラ２５と、転写ベルト２４のニップ偏差も最小となることが期待できるため、ニップ偏差により転写ベルト左右周長に差が出来、ベルト寄りの原因を作ることもなくなる。
【００２５】
上記第２のクリーニングブレード２８は、支持板３０の下面からスプリング３１で加圧され、クリーニングローラ２５に接触角β２で当接させている。この構成によって、第１クリーニングブレード２６に対し、よりブレード当接の追従性を高め、小径粒子まで対応できる性能を持たせている。第１クリーニングブレード２６にて、紙紛等比較的大きな粒子を掻き取り、第２クリーニングブレード２８にて、小粒径トナー等、より細かな粒子のクリーニングを行うことが出来るようにし、機能を分化させることで、個々の当接圧を弱めた上で、クリーニング性を確保し、且つ高耐久が狙える構成となっている。
【００２６】
前記スプリング３１は、金属側板３３に設けられた切り曲げ部にカシメられたピン３２をガイドに、支持板３０と左記ピン３２との間で加圧されるように組み付けられている。この構成では、支持板３０を介してブレード２８をほぼ直接加圧する形となるため、例えばブレード回転軸（支点ピン３７に相当）にトーションスプリングを設け加圧するという、従来ある方式に比べ応答性に優れ、当接ブレード２８の摩擦による微振動を最小限に抑え、クリーニングローラ２５への密着性、すなわち当接力Ｎ２を高め、クリーニング品質を高められる。
【００２７】
また、金属側板３３上に、クリーニングローラ２５、支持板３０（ブレード２８）、ピン３２が位置決めされているため、スプリングの取り付け長が精度良く管理でき、従って当接条件（法線Ｎ、接触角β）も精度良く管理できる。
スプリング３１は、左右対称に配置され、両端加圧構成にしていることで、支持板３０及びクリーニングホルダ２９のたわみによる当接圧偏差を最小にすることが出来、全幅でのクリーニング性を確保するようになっている。
【００２８】
尚、転写ケーシング３５は所定の取り付け位置によって、画像形成装置本体に取り付けるのであるが、それには２通りの方法がある。その１つは転写ケーシング３５の駆動ローラ２１取り付け穴を基準とする方法である。該取り付け穴に駆動ローラ２１用の図示しない軸受を嵌合させ、その軸受に金属側板３３の駆動軸穴３９を嵌合させて、金属側板３３に設けたビス穴によって転写ケーシング３５に取り付け固定する。
【００２９】
他の１つは、金属側板３３を転写ケーシング３５に取り付けるとき、まず、治具としての仮想の本体に転写ケーシング３５を取り付け、金属側板３３を該治具に対して所定の位置になるように位置決めしてから、転写ケーシング３５に固定する。したがって、転写ケーシング３５が完成品として変形を含んでいても、許容誤差内に収まっていれば、クリーニング部材は相互間の精度維持のみならず、転写搬送装置以外の部材に対しても高い精度を維持できる。
【００３０】
本発明では、前記の第１、第２クリーニングブレード２６，２８とクリーニングホルダ２７，２９を同一部品とし、取り付け方向を変えるだけで、第１、第２のどちらにも使用できる構成としている。そのため、クリーニングブレードは一種類の部品でよく、定期交換時の取り替えミスを防ぐことが出来る。さらに、当接条件（Ｎ：法線力、β：接触角）を同一に設定することで、部品の劣化具合を同程度に管理することができ、交換間隔を同時にし、サービスメンテナンスの回数を減らすことがが出来るという効果がある。
【００３１】
以上の実施形態では、本発明を図１に示す１ドラム構成の画像形成装置に適用した例で説明してきたが、本発明はこれに限るものではなく、複数ドラムを備えた構成の画像形成装置にも同様に適用することができる。
ここで図６，７は、本発明を適用できる画像形成装置の別の構成例を示す図である。図６は複数の感光体ドラム１３と転写搬送装置１６を備えた直接転写方式のカラー画像形成装置の構成例であり、転写搬送装置１６の転写ベルト２４で転写紙Ｐを担持搬送し、複数の感光体ドラム１３上でそれぞれ形成されるイエロー（Ｙ）、マゼンタ（Ｍ）、シアン（Ｃ）、ブラック（Ｋ）の各色の顕画像を直接転写紙上に順次重ね合わせて転写し、定着装置１８で定着してカラー画像を形成するものである。また、図７は複数の感光体ドラム（第１の像担持体）１３と中間転写ベルト（第２の像担持体）１２４及び転写搬送装置１６を備えた間接転写方式のカラー画像形成装置の構成例であり、駆動ローラ１２１と従動ローラ１２２及びバイアスローラ１２３に張設された中間転写ベルト１２４に、複数の感光体ドラム１３上でそれぞれ形成されるイエロー（Ｙ）、マゼンタ（Ｍ）、シアン（Ｃ）、ブラック（Ｋ）の各色の顕画像を順次重ね合わせて転写し、カラー顕画像を形成した後、この中間転写ベルト１２４上のカラー顕画像を、転写搬送装置１６の転写ベルト２４で担持搬送される転写紙Ｐに一括して転写し、定着装置１８で定着してカラー画像を形成するものである。
これらの図に示すように、転写ベルト２４や中間転写ベルト１２４の駆動ローラ２１，１２１周りにクリーニング手段を設ける構成の画像形成装置においては、直接転写方式、間接転写方式を問わず、また、１ドラム方式、複数ドラム方式を問わず本発明をそのまま適用することができる。
【００３２】
【発明の効果】
以上説明したように、請求項１に係る転写搬送装置においては、クリーニングブレード、クリーニングローラ、駆動ローラが、１枚の金属側板からなる位置決め部材にて位置決めされるため、部品相互の組み付け位置が側板精度で確保でき、転写ベルト、クリーニングローラそれぞれに対するブレード当接のばらつきを低減することができ、クリーニング品質の向上につながる。また、第２のクリーニングブレードに、スプリング等の加圧部材を設け、ブレード当接の追従性を高め、小径粒子まで対応できる性能を持たせていることで、第１クリーニングブレードにて、紙紛等比較的大きな粒子を掻き取り、第２クリーニングブレードにて、小粒径トナー等、より細かな粒子のクリーニングを行うというように機能を分化させることで個々の当接圧を弱めることができ、クリーニング性を確保した上で、高耐久が狙える構成とすることができる。
【００３３】
請求項２に係る転写搬送装置においては、請求項１の構成及び効果に加え、クリーニングブレードが１種類であるため、部品管理が容易であり、定期交換時の取り替えミスを防ぐことが出来る。
また、請求項３に係る転写搬送装置においては、請求項１の構成及び効果に加え、当接条件（法線力及び接触角）を同一に設定することにより、部品の劣化具合を同程度に管理することができ、交換間隔を同時にし、サービスメンテナンスの回数を減らすことがが出来るという効果が得られる。
さらに請求項４に係る転写搬送装置においては、上記の請求項２と請求項３の構成を同時に適用することにより、上記効果に加え、いっそうのサービス性向上を図ることができる。
【００３４】
請求項５に係る転写搬送装置においては、請求項１の構成及び効果に加え、加圧応答性に優れ、当接ブレードの摩擦による微振動を最小限に抑え、クリーニングローラへの密着性（当接）を高め、クリーニング品質をより高めることができる。
また、請求項６に係る転写搬送装置においては、請求項５の構成及び効果に加え、両端加圧構成にしていることにより、ホルダのたわみによる当接圧偏差を最小にすることが出来、全幅でのクリーニング性を良好に確保することができる。
【００３５】
請求項７に係る画像形成装置においては、転写手段として、請求項１〜６のいずれか一つに記載の転写搬送装置を用いたことにより、転写手段のサービスメンテナンス時の交換性、クリーニング性の向上を達成することができ、転写性能及び記録材搬送性能に優れた画像形成装置を実現することができる。
【図面の簡単な説明】
【図１】本発明の一実施形態に係る複写機の概略構成図である。
【図２】本発明に係る転写搬送装置の概略構成を示す側面図である。
【図３】図２に示す転写搬送装置の要部断面図である。
【図４】図２に示す転写搬送装置の上面図である。
【図５】図２に示す転写搬送装置の要部分解斜視図である。
【図６】本発明を適用できる画像形成装置の別の構成例を示す図である。
【図７】本発明を適用できる画像形成装置の別の構成例を示す図である。
【符号の説明】
１        原稿読み取り部（イメージスキャナ）
７        書き込み部
１２      画像形成部
１３      感光体ドラム（像担持体）
１４      帯電装置
１５      現像装置
１６      転写搬送装置
１７      クリーニング装置
１８      定着装置
１９      給紙部
２１      駆動ローラ
２２      従動ローラ
２３      バイアスローラ
２４      転写ベルト
２５      クリーニングローラ
２６      第１のクリーニングブレード
２７      クリーニングホルダ
２８      第２のクリーニングブレード
２９      クリーニングホルダ
３０      支持板
３１      スプリング
３２      ピン
３３      金属側板（位置決め部材）
３４      廃トナー搬送スクリュー
３５      転写ケーシング（筐体）
３６      軸受
３７      支点ピン
３８      基準ボス
３９      駆動軸穴
４０      クリーニングローラ軸穴
【図１】
2004354733.tif 000003
【図２】
2004354733.tif 000004
【図３】
2004354733.tif 000005
【図４】
2004354733.tif 000006
【図５】
2004354733.tif 000007
【図６】
2004354733.tif 000008
【図７】
2004354733.tif 000009